(57)【要約】      （修正有）【課題】キーの保持を伴う圧縮ラッチを提供する。【解決手段】１つのラッチ１００は、ハウジング１１０、キャップ１２０、ブッシング１９０およびボール１９９を含み、ハウジングは、パネルに係合するために構成され、ハウジングは、長手方向軸を有し、長手方向軸に沿ってアパーチャを画定し、アパーチャはカットアウト領域を含む。キャップおよびブッシングは、長手方向軸を中心とする回転のためアパーチャの内部に組付けられ、キャップは駆動突出部とカットアウト領域を含む外部表面を含み、ブッシングは、上部表面およびキャップとハウジングの間に位置付けされた側壁を含む。側壁は、キャップの駆動突出部と接触するように位置付けされた駆動表面および開口部を画定している。ボールは、ブッシングの開口部の内部に位置付けされ、ボールは、少なくとも部分的にハウジングのカットアウト領域またはキャップのカットアウト領域の内部に位置付けされる。【選択図】図３
0003223612.tif 000002
【実用新案登録請求の範囲】
【請求項１】
フレームに対してパネルを固定するように構成されたラッチにおいて、
前記パネルに係合するために構成され、長手方向軸を有しかつ前記長手方向軸に沿ってアパーチャを画定するハウジングであって、前記アパーチャがカットアウト領域を含む、ハウジングと；
前記長手方向軸を中心として回転するための前記ハウジングの前記アパーチャの内部に組付けられたキャップであって、駆動突出部およびカットアウト領域を含む外部表面を含むキャップと；
前記長手方向軸を中心として回転するために前記ハウジングの前記アパーチャの内部に組付けられたブッシングであって、上部表面と側壁とを含み、該側壁が前記キャップと前記ハウジングの間に位置付けされ、前記側壁が、前記キャップの前記駆動突出部と接触するように位置付けされた駆動表面と、開口部とを画定している、ブッシングと；
前記ブッシングの前記開口部の内部に位置付けされ、少なくとも部分的に前記ハウジングの前記カットアウト領域または前記キャップの前記カットアウト領域の内部に位置付けされるように構成されたボールと；
を含む、ラッチ。
【請求項２】
前記キャップが、前記長手方向軸に沿って延在し前記キャップを回転させるための駆動表面を形成する駆動開口部を画定する、請求項１に記載のラッチ。
【請求項３】
前記ブッシングの前記上部表面が、前記キャップの前記駆動開口部と重複するウィンドウを含む、請求項２に記載のラッチ。
【請求項４】
前記ハウジングが、既定の方向で前記ブッシングの回転を阻止するように位置付けされたストッパ表面を含む、請求項１に記載のラッチ。
【請求項５】
前記ブッシングが、既定の方向で前記キャップの回転を阻止するように位置付けされたストッパ表面を含む、請求項１に記載のラッチ。
【請求項６】
前記キャップの前記駆動突出部および前記カットアウト領域が円周方向距離によって離隔されており、前記ブッシングの前記開口部および前記駆動表面が前記円周方向距離によって離隔されている、請求項１に記載のラッチ。
【請求項７】
前記ハウジングおよび前記ブッシングが各々環状溝を含み、前記ハウジングの環状溝および前記ブッシングの環状溝の内部に位置付けされた保持用リングをさらに含む、請求項１に記載のラッチ。
【請求項８】
前記ハウジングの前記アパーチャの内部で前記長手方向軸に沿って延在するシャフトであって、前記長手方向軸を中心にして回転するために組付けられているシャフトと；
前記シャフトに結合され、前記フレームと係合するように構成されたつめと；
をさらに含む、請求項１に記載のラッチ。
【請求項９】
フレームに対してパネルを固定するためのラッチ条件と非ラッチ条件との間でドライバによって移動させられるために構成されたラッチにおいて、
前記パネルに係合するために構成され、長手方向軸を有しかつ前記長手方向軸に沿ってアパーチャを画定するハウジングと；
前記長手方向軸を中心にしたハウジングに対する回転のため前記ハウジングのアパーチャの内部に延在するように組付けられたキャップであって、前記ドライバによる接触のために位置付けされたキャップ駆動表面を有するキャップと；
前記長手方向軸を中心とした前記ハウジングに対する回転のため前記ハウジングのアパーチャの内部に延在するように組付けられたブッシングであって、前記ドライバを収容するために位置付けされたウィンドウを画定するブッシングと；
を含むラッチであって、
前記キャップおよび前記ブッシングは、前記キャップの前記キャップ駆動表面と前記ブッシングの前記ウィンドウの整列によって、前記ラッチが前記ラッチ条件にあるとき前記ブッシングの前記ウィンドウを通した前記キャップの前記キャップ駆動表面からの前記ドライバの挿入または抜取りが可能となり、前記キャップの前記キャップ駆動表面と前記ブッシングの前記ウィンドウの不整列によって、前記ラッチが前記ラッチ条件にないとき前記ブッシングの前記ウィンドウを通した前記キャップの前記キャップ駆動表面からの前記ドライバの挿入または抜取りが阻止されるような形で構成されている、
ラッチ。
【請求項１０】
前記キャップが前記長手方向軸に対する回転運動の範囲内で移動可能であり、前記ブッシングが前記キャップの前記回転運動の範囲の一部分内で前記長手方向軸に対して固定されている、請求項９に記載のラッチ。
【請求項１１】
前記ブッシングが前記キャップの前記回転運動の範囲の一部分内で前記長手方向軸に対して移動可能である、請求項１０に記載のラッチ。
【請求項１２】
前記ハウジングが、既定の方向で前記ブッシングの回転を阻止するように位置付けされたストッパ表面を含む、請求項９に記載のラッチ。
【請求項１３】
前記ブッシングが、既定の方向で前記キャップの回転を阻止するように位置付けされたストッパ表面を含む、請求項９に記載のラッチ。
【請求項１４】
前記キャップの駆動突出部およびカットアウト領域が円周方向距離によって離隔されており、前記ブッシングの開口部および駆動表面が前記円周方向距離によって離隔されている、請求項９に記載のラッチ。
【考案の詳細な説明】
【技術分野】
【０００１】
本出願は、内容全体が全ての目的のために参照により本明細書に組込まれている２０１６年１０月２６日出願の「キーの保持を伴う圧縮ラッチ」という名称の米国特許出願第６２／４１３，０８０号に関連し、その優先権の利益を主張するものである。
【０００２】
本考案は、概してラッチに関し、詳細には、収納コンパートメントの安全性を保証するために使用可能でかつ開閉中のキーの保持を提供することのできる圧縮ラッチに関する。
【背景技術】
【０００３】
従来、制限領域（例えば列車の手荷物）内の収納コンパートメントは、その中身に対する無許可のアクセスを防止するため、安全性が保証されていなければならない。このようなコンパートメントへのアクセスを、対応するキーを持つユーザに制限するために、ラッチを使用することができる。多くのラッチにおいて、ユーザには、ラッチが開放位置にあるか閉鎖位置にあるかが明確に目に見えない場合がある。このようなラッチについては、開放または閉鎖動作中、開放または閉鎖動作が完了するまでラッチによりキーが保持されることが有利であり得る。
【考案の概要】
【０００４】
本考案の態様は、ラッチに関する。
【０００５】
一態様によると、ラッチは、フレームに対してパネルを固定するように構成されている。ラッチは、ハウジング、キャップ、ブッシングおよびボールを含む。ハウジングは、パネルに係合するために構成されている。ハウジングは、長手方向軸を有し、長手方向軸に沿ってアパーチャを画定する。アパーチャはカットアウト領域を含む。キャップは、長手方向軸を中心とする回転のためハウジングのアパーチャの内部に組付けられる。キャップは駆動突出部とカットアウト領域を含む外部表面を含む。ブッシングは、長手方向軸を中心とする回転のためハウジングのアパーチャの内部に組付けられる。ブッシングは、上部表面および側壁を含む。側壁は、キャップとハウジングの間に位置付けされている。側壁は、キャップの駆動突出部と接触するように位置付けされた駆動表面および開口部を画定している。ボールは、ブッシングの開口部の内部に位置付けされる。ボールは、少なくとも部分的にハウジングのカットアウト領域またはキャップのカットアウト領域の内部に位置付けされるように構成されている。
【０００６】
別の態様によると、ラッチは、フレームに対してパネルを固定するためのラッチ条件と非ラッチ条件との間でドライバによって移動させられるために構成されている。ラッチは、ハウジング、キャップあるいはリングを含む。ハウジングは、パネルに係合するために構成されている。ハウジングは、長手方向軸を有しかつこの長手方向軸に沿ってアパーチャを画定する。キャップは、長手方向軸を中心にしたハウジングに対する回転のためハウジングのアパーチャの内部に延在するように組付けられている。キャップは、前記ドライバによる接触のために位置付けされたキャップ駆動表面を有する。ブッシングは、長手方向軸を中心としたハウジングに対する回転のためハウジングのアパーチャの内部に延在するように組付けられている。ブッシングは、ドライバを収容するために位置付けされたウィンドウを画定する。キャップおよびブッシングは、キャップのキャップ駆動表面とブッシングのウィンドウの整列によって、ラッチがラッチ条件にあるときブッシングのウィンドウを通したキャップのキャップ駆動表面からのドライバの挿入または抜取りが可能となり、キャップのキャップ駆動表面とブッシングのウィンドウの不整列によって、ラッチがラッチ位置にないときブッシングのウィンドウを通したキャップのキャップ駆動表面からのドライバの挿入または抜取りが阻止されるような形で構成されている。
【０００７】
本考案は、添付図面に関連して以下の詳細な説明を読むことで、最も良く理解できる。慣行にしたがって、図面中のさまざまな特徴部は、原寸に比例していないという点が強調される。反対に、さまざまな特徴部の寸法は、明確さのため恣意的に拡大または縮小され得る。図面中に含まれているのは、以下の図である。
【図面の簡単な説明】
【０００８】
【図１Ａ】本考案の態様に係る、フレームに対してパネルを固定するように構成された例示的ラッチを示す。
【図１Ｂ】図１Ａのラッチのための例示的キーを示す。
【図１Ｃ】図１Ａのラッチのための例示的キーを示す。
【図２】フレームに対してパネルを固定する図１Ａのラッチを示す。
【図３】図１Ａのラッチの構成要素の分解組立図を示す。
【図４Ａ−４Ｄ】図１Ａのラッチの例示的ハウジングを示す。
【図５Ａ−５Ｆ】図１Ａのラッチの例示的キャップを示す。
【図６Ａ−６Ｄ】図１Ａのラッチの例示的ブッシングを示す。
【図７Ａ−７Ｅ】図１Ａのラッチの例示的シャフトを示す。
【図８Ａ−８Ｅ】図１Ａのラッチの例示的カムおよび例示的スリーブをそれぞれ示す。
【図９Ａ】つめ（pawl、歯止め）または付随する構成要素を伴わない図１Ａのラッチを示す。
【図９Ｂ】図９Ａのラッチの断面図を示す。
【図９Ｃ】図９Ａのラッチの断面図を示す。
【図１０Ａ−１０Ｃ】図１Ａのラッチの例示的開放動作の第１のステップを示す。
【図１１Ａ−１１Ｃ】図１０Ａ−図１０Ｃの開放動作の第２のステップを示す。
【図１２Ａ−１２Ｃ】図１０Ａ−図１０Ｃの開放動作の第３のステップを示す。
【図１３Ａ−１３Ｃ】図１０Ａ−図１０Ｃの開放動作の第４のステップを示す。
【図１４Ａ−１４Ｃ】図１０Ａ−図１０Ｃの開放動作の第５のステップを示す。
【図１５Ａ−１５Ｃ】図１０Ａ−図１０Ｃの開放動作の第６のステップを示す。
【考案を実施するための形態】
【０００９】
本考案は、本明細書において特定の実施形態を参照して例示され説明されているが、本考案は示された詳細に限定されるように意図されていない。むしろ、クレームの等価物の範囲内で、細部についてのさまざまな修正を、本考案から逸脱することなく行なうことができる。
【００１０】
本明細書中に記載の例示的ラッチは、それらが収納コンパートメント内へのラッチの突出度の削減を提供し、利用可能な収納スペースに対するラッチの影響を減少させるかまたは無くすることができるという点で、このようなコンパートメントのための従来のラッチよりも低い断面形状を有し得る。これらの実施形態は概して、コンパートメントを開放または閉鎖するために回転可能な形で軸方向に移動するラッチキャップおよびシャフトを包含する。
【００１１】
本明細書中に記載の例示的ラッチは同様に、開放および／または閉鎖動作中、開放および／または閉鎖動作が完了するまでラッチの内部にキー（またはドライバ）を保持する能力も有することができる。この特徴は、ラッチが完全に開放または閉鎖される前にキーが偶発的または無意識に取外されるのを防ぐために一助となり得る。さらに、ラッチと共に保持されたキーの存在は、ラッチが完全に閉鎖またはラッチされた状態にないことの標示を提供するために使用可能であり得る。
【００１２】
以下で明記される実施例では、キーは、ラッチが掛けられていない場合つねにこのラッチ内に保持される。ラッチ内にキーを保持することは、コンパートメントをラッチするためのリマインダとして役立つことができ、キーを保持することにより秩序立った開閉シーケンスを促進することができる。ラッチ開放シーケンス中、ラッチのキャップは、外部のブッシングに対して既定の量（例えば１５、３０、４５、６０、７５、９０度など）回転し、ラッチの通常の開放回転および圧縮解放機能を可能にしながら、開放プロセス全体にわたり、この位置にとどまる。その結果、非ラッチ位置にある場合、キーを取外すことはできない。ラッチ動作ではこのシーケンスは逆転され、キャップおよびブッシングがラッチ位置に復帰した場合にのみキーを解放することが可能となる。
【００１３】
本明細書では特定のラッチ実施形態が説明されているが、本明細書中に説明されている利点を達成するために、開示された実施形態の構成要素を、当業者にとって公知の任意の従来のラッチ内に包含させることもできる。例えば、開示された実施形態の構成要素を、参照により内容全体が本明細書中に包含されているＰＣＴ国際特許出願第ＰＣＴ／ＵＳ２０１６／０４１８７３号中に記載のラッチ内に包含させることができる。同様にして、開示されたラッチは、コンパートメントの中身の安全性を保証することが望まれるあらゆるタイプの収納コンパートメントを含むあらゆる構造上で使用可能であり得る。ラッチは、好ましくは、フレームに組付けられたパネルと共に使用するための圧縮ラッチである。このような圧縮ラッチは、フレームに対してパネルがラッチされていない開放位置から、フレームに対してパネルがラッチされているラッチ位置まで、そして互いに圧縮されるような形でパネルがフレームに対抗して引張られるラッチ位置まで、移動するために構成されている。
【００１４】
ここで図面を参照すると、図１Ａ〜図９Ｃは、本考案の態様に係る例示的ラッチを示す。ラッチ１００は、図２に示されているように、フレーム２０に対してパネル１０を固定するように構成されている。全体的概観として、ラッチ１００は、ハウジング１１０、キャップ１２０、ブッシング１９０、ボール１９９、シャフト１３０、バネ１４０、スリーブ１５０、カム１６０、ピン１７０、および、つめ１８０を含む。ラッチ１００のさらなる詳細について、以下で説明する。
【００１５】
ハウジング１１０はラッチ１００の構成要素を収納する。図４Ａは、ハウジング１１０の斜視図を示す：図４Ｂはハウジング１１０の上面図を示す；図４Ｃおよび４Ｄは、ハウジング１１０の断面側面図を示す。
【００１６】
ハウジング１１０は、パネル１０に対する係合のために構成されている。例示的実施形態において、図４Ａ〜図４Ｄに示されているように、ハウジング１１０は、パネル１０内の貫通孔の内部に嵌合するようにサイズ決定された本体部分１１２を有する。ハウジング１１０はさらに、本体部分１１２の外部表面の周りで円周方向に延在するフランジ付き部分１１４を含む。フランジ付き部分１１４は、ハウジング１１０の本体部分１１２が貫通孔内部に収容された時点でパネル１０の内部または外部表面と接触するようにサイズ決定されている。
【００１７】
好ましい実施形態において、ハウジング１１０は、ナット１０２を用いてパネル１０と係合する。ナット１０２は本体部分１１２の外部表面上に形成されたネジ切り１０４上に螺入されて、パネル１０がフランジ付き部分１１４とナット１０２の間に挟持されるように適応される。座金１０６をパネル１０とナット１０２の間に追加して、パネル１０に対するラッチ１００の適切な固定を創出することができる。さらに、ハウジング１１０のフランジ付き部分１１４とパネル１０の間にガスケット１０７を追加して、液体またはちりなどの外部要素に対するコンパートメントの内部の安全性を保証することもできる。パネル１０にラッチ１００を固定するためにコンパートメントの内部にナット１０２を使用することで、望ましくも、パネル１０からのラッチ１００の無許可の取外しが防止される。
【００１８】
代替的または付加的に、ハウジング１１０は、例えばパネル１０の貫通孔の内部に本体部分１１２の摩擦嵌めまたはネジ嵌合またはパネル１０の表面に対するフランジ付き部分１１４の接着を含めた他の任意の手段によって、パネル１０と係合することができる。例えば、一部の組付け構成においては、ネジおよびブラケットなどの締結具を使用することができる。さらには、パネル１０と統合したまたは単一の部品としてハウジング１１０の一部分または全てを形成することもできる。
【００１９】
ハウジング１１０の本体部分１１２は長手方向軸に沿って延在する。図２に示されているように、長手方向軸は概してパネル１０の平面に直交する方向に延在する。それでも、本明細書中の説明から、長手方向軸はパネル１０に対して斜角で延在してよく、長手方向軸の方向は限定されるように意図されていない。
【００２０】
ハウジング１１０の本体部分１１２はさらに、長手方向軸に沿って延在するアパーチャ１１６を内部に画定する。アパーチャ１１６は、以下で説明されるように、ラッチ１００の構成要素を収容するようにサイズ決定されている。アパーチャ１１６は、図４Ｂに示されているように、カットアウト領域１１８をさらに含む。カットアウト領域１１８は、本体部分１１２の内部側壁内に具備されている。カットアウト領域１１８は、以下でより詳細に説明されるように、ボール１９９を収容するためのスペースを提供する。
【００２１】
ハウジング１１０はさらにストッパ表面１１１および１１３を含み得る。ストッパ表面１１１および１１３は、図４Ｂに示されているように、アパーチャ１１６内へと内向きに突出する本体部分１１２の区分によって形成される。ストッパ表面１１１は、ブッシング１９０の時計回り方向の回転を阻止するように位置付けされ、ストッパ表面１１３はブッシング１９０の反時計回り方向の回転を阻止するように位置付けされている。
【００２２】
キャップ１２０は、ハウジング１１０のアパーチャ１１６の内部に組付けられている。図５Ａは、キャップ１２０の斜視図を示し；図５Ｂはキャップ１２０の上面図を示し；図５Ｃはキャップ１２０の側面図を示し；図５Ｄはキャップ１２０の断面上面図を示し；図５Ｅはキャップ１２０の断面側面図を示し；図５Ｆはキャップ１２０の底面図を示す。
【００２３】
キャップ１２０は、長手方向軸の周りでハウジング１１０に対して回転できるように、ハウジング１１０に固定されていない。キャップ１２０は、図５Ｂに示されているように、その上端部に少なくとも１つの駆動開口部１２２を含む。駆動開口部１２２に長手方向軸に沿って延在し、キャップ１２０を回転させるための駆動表面１２３を形成する。駆動表面１２３は、ユーザが例えばキーを用いてキャップ１２０を駆動または回転させることができるようにするため、ハウジング１１０の内部にキャップ１２０が組付けられている場合にアクセス可能である。駆動開口部１２２は、キーの形状に対応する形状で形成されてよい。この形態では、駆動表面１２３と係合するために対応するキー無しでハウジング１１０に対してキャップ１２０を容易に回転させることができない。
【００２４】
キャップ１２０はさらに、少なくとも１つの長手方向に延在する陥凹１２４を含む。陥凹１２４は、駆動表面１２３とは反対側のキャップ１２０の下部表面内に形成されている。陥凹１２４は、以下で説明するように、シャフト１３０の一部分と噛合するように形成される。
【００２５】
キャップ１２０の外部表面は、駆動突出部およびカットアウト領域１２８を含む。駆動突出部１２６はブッシング１９０の回転を駆動するための表面を提供する。カットアウト領域１２８は、ボール１９９を収容するためのスペースを提供する。これらの構造の機能は、以下でより詳細に説明される。
【００２６】
好ましい実施形態においては、図９Ｂに示されているように、液体またはチリなどの外部要素に対し本体部分１１２の内部の安全性を保証する目的で、ハウジング１１０とキャップ１２０の間にＯリングなどのガスケット１０８を付加することができる。キャップ１２０および／または１１０は、キャップ１２０とハウジング１１０の間にガスケット１０８を収容するための環状溝または表面を含んでいてよい。
【００２７】
ハウジング１１０のアパーチャ１１６の内部には、ブッシング１９０が組付けられている。図６Ａは、ブッシング１９０の斜視図を示し；図６Ｂはブッシング１９０の上面図を示し；図６Ｃはブッシング１９０の断面側面図を示し；図６Ｄはブッシング１９０の底面図を示す。
【００２８】
キャップ１２０と同様、ブッシング１９０は、長手方向軸の周りでハウジング１１０に対して回転できるように、ハウジング１１０に固定されていない。ブッシング１９０は、上部表面１９２および上部表面１９２から下向きに延在する円筒形側壁１９４を含む。図６Ａおよび６Ｂに示されているように、ブッシング１９０はその上部表面１９２内にウィンドウ１９３を含む。ウィンドウ１９３はキャップ１２０の駆動開口部１２２と重複する。したがって、ウィンドウ１９３は、ラッチ１００の開放または閉鎖を可能にする目的で、キャップ１２０の駆動開口部１２２および駆動表面１２３に対するアクセスを提供する。
【００２９】
側壁１９４は、ハウジング１１０とキャップ１２０の間に位置付けされる。側壁１９４は、駆動表面１９６および開口部１９８を含む。駆動表面１９６および開口部１９８は、駆動突出部１２６とカットアウト領域１２８の間の円周方向距離と同じ円周方向距離だけ互いに離隔されている。駆動表面１９６は、キャップ１２０の駆動突出部１２６と接触しこの駆動突出部により駆動されるための表面を提供する。開口部１９８は、ボール１９９を収容するためのスペースを提供する。これらの構造の機能は、以下でより詳細に説明される。
【００３０】
ブッシング１９０はさらにストッパ表面１９１を含むことができる。ストッパ表面１９１は、図６Ｄに示されているように、キャップ１２０に面する側壁１９４の１区分により形成される。ストッパ表面１９１は、キャップ１２０の時計回り方向の回転を阻止するように位置付けされている。
【００３１】
ブッシング１９０は、ハウジング１１０に対する軸方向の移動を防止されていてよい。例示的実施形態において、ハウジング１１０は環状溝１１７を含み、ブッシング１９０は環状溝１９５を含む。保持リング１９７が環状溝１１７および１９５の内部位置付けされる。保持リング１９７が溝１１７および１９５の内部に据え付けられた場合これは、本体部分１１２により画定されたアパーチャ１１６から外へのブッシングの軸方向の移動を防止する。保持リング１９７は、完全なリングとしてかまたは、割りリングとして形成されてよい。
【００３２】
ボール１９９は、ブッシング１９０の開口部１９８の内部に位置付けされる。ボールは、ラッチ１００の内部で移動（例えば転動）できるように、ハウジング１１０、キャップ１２０またはブッシング１９０に固定されていない。しかしながら、ボール１９９の移動は、ハウジング１１０、キャップ１２０および／またはブッシング１９０の表面によって制限される。例示的実施形態において、ボール１９９はつねにブッシング１９０の開口部１９８の内部に位置付けされ、同様に、少なくとも部分的にハウジング１１０のカットアウト領域１１８またはキャップ１２０のカットアウト領域１２８のいずれかの内部に位置付けされる。
【００３３】
シャフト１３０は、少なくとも部分的にハウジング１１０のアパーチャ１１６の内部に組付けられる。図７Ａは、シャフト１３０の斜視図を示し；図７Ｂはシャフト１３０の上面図を示し；図７Ｃはシャフト１３０の側面図を示し；図７Ｄはシャフト１３０の底面図を示し；図７Ｅはシャフト１３０の断面側面図を示す。
【００３４】
シャフト１３０は、ハウジング１１０の長手方向軸に沿って延在する。シャフト１３０は、ハウジング１１０およびキャップ１２０に対して長手方向軸の周りを回転できるように組付けられる。図７Ｂおよび７Ｄに示されているように、シャフト１３０は、ハウジング１１０の内部でのシャフト１３０の妨害の無い回転を可能にするため、円形形状を有していてよい。
【００３５】
シャフト１３０は、ハウジング１１０およびキャップ１２０に対して軸方向に移動可能となるように組付けられる。シャフト１３０は、シャフト１３０の本体を通って半径方向に延在する貫通孔１３４を含む。貫通孔１３４は、以下でさらに詳述されるように、シャフト１３０の中を通過するピン１７０を収容するように整形されている。
【００３６】
バネ１４０は、長手方向軸に沿ってキャップ１２０から離れる方向にシャフト１３０を偏倚させるように構成されている。例示的実施形態において、バネ１４０は、キャップ１２０の下側とシャフト１３０の表面１３２の間に位置付けされた圧縮バネである。バネは、１つまたは多数の要素、例えば圧縮バネ、波形バネ、皿バネ、エラストマバネおよび／または円錐バネを含むことができる。例示的実施形態において、バネ１４０の上端部は、キャップ１２０の下側にある陥凹内に具備され、バネ１４０の下端部はシャフト１３０内部の陥凹内に具備されて、キャップ１２０の全体的高さを削減またはさらに削減する。
【００３７】
スリーブ１５０は、ハウジング１１０とシャフト１３０の間に間置されたアパーチャ１１６の内部に位置付けされる。こうして、スリーブ１５０は、シャフト１３０を中に位置付けするアパーチャを画定する。
【００３８】
スリーブ１５０は、ハウジング１１０に対するスリーブ１５０の回転を防ぐような形で、ハウジング１１０の内部に組付けられる。例示的実施形態において、図８Ａに示されるように、スリーブ１５０は、ハウジング１１０内のキーイング特徴部１１９と噛合するように位置付けされた１つ以上のキーイング特徴部１５２を含む。キーイング特徴部１５２および１１９は、戻り止め、突出部、陥凹または本明細書中の説明から当業者にとって公知である他の任意の回転防止構造であり得る。代替的には、スリーブ１５０の全体または一部分をハウジング１１０と一体としてまたは単一の部品として形成することができる。
【００３９】
スリーブ１５０は、一対のスロット１５４を画定する。スロット１５４は、内部にピン１７０を収容しかつ各スロット１５４に沿ったピン１７０の軸方向および／または円周方向の移動を可能にするようにサイズ決定される。例示的実施形態において、各スロット１５４は、Ｌ字形状を有しており、第１の部分１５Ａは、ハウジング１１０の長手方向または軸方向に延在し、第２の部分１５４Ｂはハウジング１１０の円周方向に延在している。各スロット１５４の第１および第２の部分１５４Ａ、１５４Ｂは、以下でより詳細に説明されているように、ラッチ１００の開放または閉鎖動作中にハウジング１１０内部でシャフト１３０の移動を案内する。
【００４０】
カム１６０は、スリーブ１５０の内部でスリーブ１５０とシャフト１３０の間に間置されて位置付けされる。カム１６０は、長手方向軸の周りでスリーブ１５０に対して回転可能となるように、スリーブ１５０の内部に組付けられている。詳細には、カム１６０はキャップ１２０と共に回転可能となるように組付けられる。例示的実施形態において、図８Ｂに示されているように、カム１６０は、キャップ１２０の下部表面内のキーイング特徴部１２９と噛合するように位置付けされた１つ以上のキーイング特徴部１６２を含む。キーイング特徴部１６２および１２９は、戻り止め、突出部、陥凹または本明細書中の説明から当業者にとって公知である他の任意の回転防止構造であり得る。
【００４１】
カム１６０は、一対のスロット１６４を画定する。スロット１６４は、内部にピン１７０を収容するように、かつ各スロット１６４に沿ったピン１７０の軸方向および／または円周方向の移動を可能にするようにサイズ決定される。例示的実施形態において、各スロット１６４は、カム１６０の外部円周方向表面の周りで、キャップ１２０近くの第１の位置とキャップ１２０から離れる方向にこの第１の位置から軸方向に離隔された第２の位置との間で、螺旋状に曲線を描いている。スロット１５４と共に、スロット１６４は、以下でさらに詳細に説明するように、ラッチ１００の開放または閉鎖動作中ハウジング１１０の内部でシャフト１３０の移動を案内する。
【００４２】
カム１６０は、キャップ１２０とは別個の構成要素であるものとして説明されているが、本考案はそのように限定されるものではないということが理解される。代替的には、カム１６０の全体または一部分をキャップ１２０と一体としてまたはキャップ１２０と単一の部品として形成することができると考えられる。このような構造は、ラッチ１００の全体的突出をさらに最小化するために所望される場合がある。
【００４３】
さらに、カム１６０はスリーブ１５０の内部に位置付けされているものとして説明されているが、本考案はそのように限定されるものではないということが理解される。本考案の範囲から逸脱することなく、スリーブ１５０がカム１６０とシャフト１３０の間に間置されるような形で、カム１６０を代替的にスリーブ１５０の外側に位置付けすることができると考えられる。このような実施形態では、スリーブ１５０は、キャップ１２０にキーイングされるかまたはキャップ１２０と一体として形成され得、カム１６０はハウジング１１０にキーイングされるかまたはハウジング１１０と一体として形成され得、それによって本考案の範囲から逸脱することはない。
【００４４】
ピン１７０は、ハウジング１１０の長手方向または軸方向に対してシャフト１３０から半径方向外向きに延在する。ピン１７０は、シャフト１３０内に形成されたアパーチャの内部に捕捉され、スロット１５４および１６４により収容される。その結果、シャフト１３０は、ピン１７０とスロット１５４および１６４の係合によって画定される経路の内部で軸方向にまたは回転方向に移動することに制限される。
【００４５】
例示的実施形態において、ピン１７０は、シャフト１３０の貫通孔１３４を通って直径方向に延在する円筒形の柱部材である。柱部材は、シャフト１３０のいずれかの側で直径方向に相対するピンを形成するのに充分な長さを有する。この実施形態において、スリーブ１５０およびカム１６０は各々、そのいずれかの側に、直径方向に相対する一対のスロット１５４および１６４を含んでいてよい。したがって、ラッチ１００の動作は本明細書において単一のスロット１５４、１６４およびピン１７０に関連して説明されているものの、当業者であれば、本考案の範囲から逸脱することなく、１つ、２つまたはそれ以上のそれぞれのスロットおよびピンを使用してもよいということを理解するものである。
【００４６】
つめ１８０はシャフト１３０に結合される。例示的実施形態において、つめ１８０は、一対のナット１８２を用いてシャフト１３０の下端部に、固定して結合されている。ナット１８２とつめ１８０の間には、シャフト１３０に対するつめ１８０の適切な固定を創出するために、座金１８４を追加してよい。
【００４７】
つめ１８０は、閉鎖位置と開放位置の間で移動可能である。つめ１８０は、シャフトの回転および軸方向の移動によって、閉鎖位置と開放位置の間で移動させられる。図２に示された閉鎖位置において、つめ１８０は、フレーム２０と係合し、フレーム２０に対してパネル１０を固定する。図２に破線で示されているように、つめ１８０は、フレーム２０の厚みに応じてシャフト１３０から離れる方向に異なる角度で延在し得る。開放位置で、つめ１８０は、フレーム２０から係合解除し、フレーム２０に対するパネル１０の相対的な移動を可能にする。
【００４８】
ラッチ１００は、キー２００を用いて開放または閉鎖される。図１Ｂおよび１Ｃに示されているように、キー２００は、シャフト２０２、溝２０４および端部２０６を含む。端部２０６は、キャップ１２０の駆動開口部１２２と噛合するように整形される。溝２０４は、以下でより詳細に論述されるように、開放または閉鎖動作中ラッチ１００の内部でのキー２００の保持を可能にするため、端部２０６の上方に具備され、端部２０６よりも狭い。キー２００として使用するのに好適なキーは、本明細書中の説明から当業者にとっては公知のものである。
【００４９】
ラッチ１００の例示的動作について、以下で図１０Ａ〜図１５Ｃに関連して説明する。これらの図面中、ラッチ１００の構成要素の機能をより良く例示するためにパネル１０とフレーム２０は示されていない。例示的動作は、キャップの反時計回り方向の回転を描いているものの、本明細書中に記載の動作は代替的にはキャップの時計回り方向の回転でも実施可能であるということが理解される。
【００５０】
図１０Ａ〜図１０Ｃは、閉鎖位置でのラッチを示す。図１０Ａおよび１０Ｂに示されているように、ブッシング１９０のウィンドウ１９３は、キャップ１２０の駆動開口部１２２と整列させられ、駆動開口部１２２内へのキー２００の端部２０６の挿入を可能にしている。図１０Ｂに示されているように、ブッシング１９０は、時計回り方向でのブッシング１９０の回転を防止するため、ハウジング１１０のストッパ表面１１１に接して位置付けされる。同様にして、図１０Ｃに示されているように、キャップ１２０は、時計回り方向でのキャップ１２０の回転を防ぐため、ストッパ表面１９１に接して位置付けされる。最後に、ボール１９９は、開口部１９８内に位置付けされ、少なくとも部分的にハウジング１１０のカットアウト領域の内部に位置付けされている。ボール１９９は、キャップ１２０の外部表面によってカットアウト領域１１８から外に移動するのを防止されている。したがって、ボール１９９は、ハウジング１１０に対してブッシング１９０の位置を係止する。
【００５１】
この段階で、ラッチ１００を開放するために、ユーザは、ウィンドウ１９３を通して駆動開口部１２２内にキー２００を挿入し、反時計回り方向での回転を開始する。キャップ１２０を回転させることで、キャップ１２０は、ブッシング１９０の移動無く、ブッシング１９０およびハウジング１１０に対して移動できるようになる。キャップ１２０の回転は同様に、例えばキーイング特徴部１６２および１２９に起因してカム１６０の対応する回転もひき起す。カム１６０が回転するにつれて、カム１６０の螺旋状スロット１６４はピン１７０に対して軸方向および円周方向の力を加える。Ｌ字形スロット１５４の第１の部分は、軸方向でのピン１７０の移動を可能にし、円周方向でのピン１７０の移動を防止する。その結果、キャップ１２０およびカム１６０の閉鎖位置からの回転は、ピン１７０ひいてはシャフト１３０を（バネ１４０による偏倚下で）キャップ１２０から離れる方向に軸方向にのみ移動させる。シャフト１３０のこの軸方向の移動は、つめ１８０を軸方向下向きにそしてフレーム２０から離れる方向に移動させる。ピン１７０の軸方向の移動は、ピン１７０がＬ字形スロット１５４の第２の部分に達するまで続行する。
【００５２】
図１１Ａ〜図１１Ｃは、キャップ１２０の駆動突出部１２６がブッシング１９０の駆動表面１９６と接触する前の、開放位置と閉鎖位置の間の第１の中間位置にあるラッチ１００を示す。この位置において、キャップ１２０は、閉鎖位置からおおよそ３５°回転されており、ブッシング１９０は回転させられていない。図１１Ｂに示されているように、ブッシング１９０は、なおもハウジング１１０のストッパ表面１１１に接して位置付けされており、ボール１９９はなおも、開口部１９８内に、そして少なくとも部分的にハウジングのカットアウト領域１１８内部に位置付けされている。しかしながら、図１１Ｃに示されているように、キャップ１２０は、ストッパ表面１９１から離れる方向に回転させられる。この回転に起因して、キャップ１２０の駆動開口部１２２は、もはやブッシング１９０のウィンドウ１９３と整列していない。キー２００の端部２０６は、駆動開口部１２２の内部に位置付けされた状態にとどまり、一方ウィンドウ１９３の縁部は溝２０４と共に位置付けされる。こうしてウィンドウ１９３の縁部は、ラッチ１００が図１０Ａ〜図１０Ｃの閉鎖位置にない間のラッチ１００からのキー２００の取外しを阻止する。
【００５３】
図１２Ａ〜図１２Ｃは、キャップ１２０の駆動突出部がブッシング１９０の駆動表面と接触するにつれての、開放位置と閉鎖位置の間の第２の中間位置にあるラッチ１００を示す。この位置において、キャップ１２０は、閉鎖位置からおおよそ４５°回転させられており、ブッシング１９０は回転させられていない。図１２Ｂに示されているように、ブッシング１９０はなおも、ハウジング１１０のストッパ表面１１１に接して位置付けされており、ボール１９９はなおも、開口部１９８内、そして少なくとも部分的にハウジング１１０のカットアウト領域１１８の内部に位置付けされている。しかしながら、ボール１９９はもはや、キャップ１２０の外部表面によりカットアウト領域１１８から外に移動するのを防止されていない。その代り、図１２Ｃに示されているように、キャップ１２０のカットアウト領域１２８は、ハウジングのカットアウト領域１１８に面し、こうしてボール１９９が中に移動できるスペースを提供する。したがって、ボール１９９はもはや、ハウジング１１０に対するブッシング１９０の位置を係止しない。
【００５４】
この点において、キャップ１２０のさらなる回転は、結果としてブッシング１９０の対応する回転をもたらす。こうして、それぞれのウィンドウ１９３および駆動開口部１２２は、キャップ１２０およびブッシング１９０の残りの回転全体にわたり、互いに対して４５°の差で係止される。したがって、キー２００の端部２０６は、残りの回転全体にわたりラッチ１００内部に保持され、ラッチ１００が閉鎖位置（例えばラッチ位置）に戻されるまで、キー２００の取外しを防止する。
【００５５】
図１３Ａ〜図１３Ｃは、キャップ１２０がブッシング１９０を移動させ始めるにつれての、開放位置と閉鎖位置の間の第３の中間位置にあるラッチ１００を示す。この位置において、キャップ１２０は、閉鎖位置からおおよそ５５°回転させられており、ブッシング１９０は閉鎖位置からおおよそ１０°回転させられている。図１３Ｂに示されているように、ブッシング１９０はもはやハウジング１１０のストッパ表面１１１に接して位置付けされていない。図１３Ｃに示されているように、ボール１９９はここでは、開口部１９８内、そして少なくとも部分的にキャップ１２０のカットアウト領域１２８内部に位置付けされている。
【００５６】
図１４Ａ〜図１４Ｃは、キャップ１２０がブッシング１９０の移動を継続する一方での、開放位置と閉鎖位置の間の第４の中間位置にあるラッチ１００を示す。この位置において、キャップ１２０は、閉鎖位置からおおよそ１１０°回転させられており、ブッシング１９０は閉鎖位置からおおよそ６５°回転させられている。キャップ１２０およびカム１６０が回転を継続するにつれて、カム１６０の螺旋状スロット１６４は、軸方向および円周方向でピン１７０に対し力を加え続ける。Ｌ字形スロット１５４の第２の部分は、軸方向でのピン１７０のさらなる移動を防止するが、円周方向でのピン１７０の移動は可能にする。その結果、キャップ１２０およびカム１６０の連続回転は、ピン１７０ひいてはシャフト１３０を、回転方向または円周方向にのみ移動させる。シャフト１３０のこの回転運動は、フレーム２０から離れる方向につめ１８０を回転するよう移動させる。
【００５７】
図１５Ａ〜図１５Ｃは、開放位置におけるラッチ１００を示す。この位置において、キャップ１２０は閉鎖位置からおおよそ１８０°回転させられており、ブッシング１９０は閉鎖位置からおおよそ１３５°回転させられている。図１５Ｂに示されているように、ブッシング１９０は、反時計回り方向でのブッシング１９０のさらなる回転を防止するため、ハウジング１１０のストッパ表面１１３に接して位置付けされている。ピン１７０は、スロット１５４の端部に達し、ピン１７０またはシャフト１３０のそれ以上の回転移動は不可能である。この位置において、つめ１８０は完全に回転させられており、フレーム２０と係合することはできない。完全に開放した位置と閉鎖位置の間の回転距離は任意の所望の距離であってよいものとして理解される。
【００５８】
以上のシーケンスから、ラッチ１００の閉鎖動作が類似の逆転した形で起こると考えられるということが理解される。ラッチ１００の開放位置から、キャップ１２０を時計回り方向で回転させるためにキー２００を回転させることができる。キャップ１２０が回転するにつれて、キャップ１２０とカットアウト領域１２８内に収容されたボール１９９の一部分との間の接触が、キャップ１２０の運動をブッシング１９０に伝え、ブッシング１９０の対応する時計回り方向の回転をもたらす。ブッシング１９０がひとたびストッパ表面１１１に到達すると、キャップ１２０とボール１９９の間の接触はボール１９９をカットアウト領域１２８から外へ、そしてハウジング１１０のカットアウト領域１１８内へと強制する。この点において、キャップ１２０は、キャップ１２０がストッパ表面１９１に接触するまでブッシング１９０に対して自由に回転できる。この点において、ラッチ１００は閉鎖位置に達している。
【００５９】
本考案の好ましい実施形態が本明細書中で示され説明されてきたが、このような実施形態は単なる例として提供されているにすぎないということが理解される。本考案の精神から逸脱することなく、当業者であれば多くの変形形態、変更および置換に気付くものである。したがって、添付のクレームは、このような変形形態全てを本考案の精神および範囲内に入るものとして網羅するように意図されている。
【図１Ａ】
0003223612.tif 000003
【図１Ｂ】
0003223612.tif 000004
【図１Ｃ】
0003223612.tif 000005
【図２】
0003223612.tif 000006
【図３】
0003223612.tif 000007
【図４Ａ】
0003223612.tif 000008
【図４Ｂ】
0003223612.tif 000009
【図４Ｃ】
0003223612.tif 000010
【図４Ｄ】
0003223612.tif 000011
【図５Ａ】
0003223612.tif 000012
【図５Ｂ】
0003223612.tif 000013
【図５Ｃ】
0003223612.tif 000014
【図５Ｄ】
0003223612.tif 000015
【図５Ｅ】
0003223612.tif 000016
【図５Ｆ】
0003223612.tif 000017
【図６Ａ】
0003223612.tif 000018
【図６Ｂ】
0003223612.tif 000019
【図６Ｃ】
0003223612.tif 000020
【図６Ｄ】
0003223612.tif 000021
【図７Ａ−７Ｅ】
0003223612.tif 000022
【図８Ａ】
0003223612.tif 000023
【図８Ｂ】
0003223612.tif 000024
【図９Ａ】
0003223612.tif 000025
【図９Ｂ】
0003223612.tif 000026
【図９Ｃ】
0003223612.tif 000027
【図１０Ａ】
0003223612.tif 000028
【図１０Ｂ】
0003223612.tif 000029
【図１０Ｃ】
0003223612.tif 000030
【図１１Ａ】
0003223612.tif 000031
【図１１Ｂ】
0003223612.tif 000032
【図１１Ｃ】
0003223612.tif 000033
【図１２Ａ】
0003223612.tif 000034
【図１２Ｂ】
0003223612.tif 000035
【図１２Ｃ】
0003223612.tif 000036
【図１３Ａ】
0003223612.tif 000037
【図１３Ｂ】
0003223612.tif 000038
【図１３Ｃ】
0003223612.tif 000039
【図１４Ａ】
0003223612.tif 000040
【図１４Ｂ】
0003223612.tif 000041
【図１４Ｃ】
0003223612.tif 000042
【図１５Ａ】
0003223612.tif 000043
【図１５Ｂ】
0003223612.tif 000044
【図１５Ｃ】
0003223612.tif 000045